(57)【要約】      （修正有）【課題】用紙の反りによる損傷を避けられる屈曲式用紙ピックアップ装置を提供する。【解決手段】上壁及び下壁によって画定され、上流側に給紙トレイ１１が設けられる給紙経路１２と、給紙経路の一側に固定され、一部が給紙経路の中に設けられる給紙ユニット２０と、給紙ユニットと一側の反対側において対向するように固定され、一部が給紙経路に設けられる用紙分離ローラ３０と、給紙トレイと給紙ユニットとの間に設けられ、用紙を規制するストップ位置と用紙を給紙経路の下流に通過させる給紙位置との間に移動可能に切り替えるように設けられる用紙ストッパーアーム４０と、上壁に設けられる固定溝と、給紙方向の下流から上流に順に、固定溝の中に挟持固定される固定部と、固定部に接続して給紙経路内へ延びる屈曲部と、屈曲部に接続して給紙経路に略平行に延びる用紙ガイド部と、用紙ガイド部に接続する持ち上げ部と、持ち上げ部の末端に設けられる頂点とを有する用紙ガイド部材５０と、を含む。【選択図】図５Ａ
0003226792.tif 000002
【実用新案登録請求の範囲】
【請求項１】
上壁及び下壁によって画定され、上流側に給紙トレイが設けられる給紙経路と、
前記給紙経路の一側に固定され、一部が前記給紙経路の中に設けられる給紙ユニットと、
前記給紙ユニットと前記一側の反対側において対向するように固定され、一部が前記給紙経路の中に設けられる用紙分離ローラと、
前記給紙トレイと前記給紙ユニットとの間に設けられ、用紙を規制するストップ位置と用紙を前記給紙経路の下流に通過させる給紙位置との間に移動可能に切り替えるように設けられる用紙ストッパーアームと、
前記上壁に設けられる固定溝と、
給紙方向の下流から上流に順に、前記固定溝の中に挟持固定される固定部と、前記固定部に接続して前記給紙経路内へ延びる屈曲部と、前記屈曲部に接続して前記給紙経路に略平行に延びる用紙ガイド部と、前記用紙ガイド部に接続する持ち上げ部と、前記持ち上げ部の末端に設けられる頂点とを有する用紙ガイド部材と、
を含み、
前記用紙ガイド部は、前記給紙ユニットと前記用紙分離ローラとの間に形成される隙間空間に移動可能に設けられ、
前記用紙分離ローラから前記持ち上げ部までの仮想円の半径は、前記用紙分離ローラの輪径より大きく、
前記給紙経路の下壁から前記用紙ガイド部までの垂直距離は、前記給紙経路の下壁から前記用紙分離ローラまでの垂直距離より大きいことを特徴とする、
屈曲式用紙ピックアップ装置。
【請求項２】
前記用紙ガイド部と前記持ち上げ部との過渡部において曲率が最大となる点は、前記用紙分離ローラと給紙待ち用紙との接触箇所の上流に位置することを特徴とする、請求項１に記載の屈曲式用紙ピックアップ装置。
【請求項３】
前記持ち上げ部は、給紙方向において前記用紙ストッパーアームの下流に位置することを特徴とする、請求項１に記載の屈曲式用紙ピックアップ装置。
【請求項４】
前記用紙ガイド部と前記給紙経路とがなす角度は、前記持ち上げ部と前記給紙経路とがなす角度より小さいことを特徴とする、請求項１に記載の屈曲式用紙ピックアップ装置。
【請求項５】
前記用紙ストッパーアームは、前記頂点の上流に位置することを特徴とする、請求項１に記載の屈曲式用紙ピックアップ装置。
【請求項６】
前記頂点と給紙待ち用紙との垂直距離は、前記用紙ストッパーアームの底端と給紙待ち用紙との垂直距離より大きいことを特徴とする、請求項１に記載の屈曲式用紙ピックアップ装置。
【考案の詳細な説明】
【技術分野】
【０００１】
本考案は、用紙ピックアップ装置に関し、特に、用紙の反りによる用紙の損傷を避けられる屈曲式用紙ピックアップ装置に関する。
【背景技術】
【０００２】
図１に示すように、用紙ピックアップ部材は、自動紙送り器の入口に設けられ、かつ重なった用紙を分けて１枚ずつに送るための構造である。重ねた用紙を送紙することを避けるために、用紙ピックアップ部材は、給紙経路と、用紙ピックアップ装置２０’と、１組となる用紙分離装置３０’と、前記用紙ピックアップ装置２０’と前記用紙分離装置３０’との間に設けられる用紙阻止装置４０’と、を含む。そのうち、前記用紙阻止装置４０’は、用紙が給紙経路に入らないように前記給紙経路に設置される。前記用紙ピックアップ装置２０’は、用紙束と接触して用紙を前記給紙経路に送る。前記用紙分離装置３０’は、給紙した用紙に摩擦力をかけ、重複して送られてきた用紙の通過を規制する。
【０００３】
しかしながら、用紙を分離する時に、用紙の反りによって損傷を受ける場合が多い。以下、よく見られる用紙反りの状況をそれぞれ図２〜図４に示す。
【０００４】
図２に示すように、下層の用紙を給紙経路に送る時に、上層の用紙が下層の用紙に支持されなくなって自由落下となるため、用紙の前端にわずかな反りが生じてしまう。
【０００５】
図３に示すように、用紙分離の効果を向上させるために、前記用紙分離装置３０’は、用紙を給紙トレイに戻させるような方向に回転する。そのため、用紙における前記用紙分離装置３０’に接触する一端は、用紙分離ローラに引っかかって反りやすい。
【０００６】
図４に示すように、用紙に対する給紙力を向上させるために、前記用紙分離装置３０’は、通常、弾性素材によって製造されるため、給紙プロセスにおいて用紙のけん引によって弾性変形を生じてしまう。また、用紙が用紙分離装置３０’を通った後に、前記弾性変形が跳ね返るため、次の用紙の前端に反りが生じてしまう。
【０００７】
したがって、用紙ガイド機能を有し、用紙の反りによる損傷を避けられる屈曲式用紙ピックアップ装置が求められている。
【考案の概要】
【考案が解決しようとする課題】
【０００８】
本考案は、用紙ガイド機能を有し、用紙の反りによる損傷を避けられる屈曲式用紙ピックアップ装置を提供することを目的とする。
【課題を解決するための手段】
【０００９】
上記目的を実現するために、本考案に係る屈曲式用紙ピックアップ装置は、上壁及び下壁によって画定され、上流側に給紙トレイが設けられる給紙経路と、前記給紙経路の一側に固定され、一部が前記給紙経路に設けられる給紙ユニットと、前記給紙ユニットと前記一側の反対側において対向するように固定され、一部が前記給紙経路に設けられる用紙分離ローラと、前記給紙トレイと前記給紙ユニットとの間に設けられ、用紙を規制するストップ位置と用紙を前記給紙経路の下流を通過させる給紙位置との間に移動可能に切り替えるように設けられる用紙ストッパーアームと、前記上壁に設けられる固定溝と、給紙方向の下流から上流に順に、前記固定溝の中に挟持固定される固定部と、前記固定部に接続して前記給紙経路内へ延びる屈曲部と、前記屈曲部に接続して前記給紙経路に略平行に延びる用紙ガイド部と、前記用紙ガイド部に接続する持ち上げ部と、前記持ち上げ部の末端に設けられる頂点とを有する用紙ガイド部材と、を含む。そのうち、前記用紙ガイド部は、前記給紙ユニットと前記用紙分離ローラとの間に形成される隙間空間に移動可能に設けられる。前記用紙分離ローラから前記持ち上げ部までの仮想円の半径は、前記用紙分離ローラの輪径より大きい。前記給紙経路の下壁から前記用紙ガイド部までの垂直距離は、前記給紙経路の下壁から前記用紙分離ローラまでの垂直距離より大きい。
【００１０】
好ましい実施例では、前記用紙ガイド部と前記持ち上げ部との過渡部において曲率が最大となる点は、前記用紙分離ローラと給紙待ち用紙との接触箇所の上流に位置する。
【００１１】
好ましい実施例では、前記持ち上げ部は、給紙方向において前記用紙ストッパーアームの下流に位置する。
【００１２】
好ましい実施例では、用紙分離ローラの軸方向から見る場合、前記用紙ガイド部と前記給紙経路とがなす角度は、前記持ち上げ部と前記給紙経路とがなす角度より小さい。
【００１３】
好ましい実施例では、前記用紙ストッパーアームは、前記頂点の上流に位置する。
【００１４】
好ましい実施例では、前記頂点と給紙待ち用紙との垂直距離は、前記用紙ストッパーアームの底端と給紙待ち用紙との垂直距離より大きい。
【考案の効果】
【００１５】
本考案によれば、用紙ガイド機能を有し、用紙の反りによる損傷を避けられる屈曲式用紙ピックアップ装置を提供できる。
【図面の簡単な説明】
【００１６】
【図１】従来の用紙ピックアップ装置の側面図である
【図２】従来の用紙ピックアップ装置において、用紙の落下によるそりを示す模式図である。
【図３】従来の用紙ピックアップ装置において、用紙分離ローラの逆転による反りを示す模式図である。
【図４】従来の用紙ピックアップ装置において、用紙分離ローラの跳ね返るによる反りを示す模式図である。
【図５Ａ】本考案の側面図である。
【図５Ｂ】本考案の用紙ストッパーアームが持ち上がる状態を示す側面図である。
【図６】用紙ガイド部材を示す側面図である。
【図７】用紙ガイド部材及び用紙ストッパーアームを示す側面図である。
【図８】用紙ガイド部材の斜視図である。
【図９Ａ】本考案の用紙ガイド部材及び用紙分離ローラを示す側面図である。
【図９Ｂ】図９ＡにおけるＡ部分の拡大模式図である。
【考案を実施するための形態】
【００１７】
以下、図面を参照しながら本考案の技術的な内容、構造的な特徴、目的及び効果を詳しく説明する。
【００１８】
まず、図５Ａ及び図５Ｂを参照しながら説明する。本考案に係る屈曲式用紙ピックアップ装置１０は、給紙トレイ１１と給紙経路１２との間に設けられ、前記給紙トレイ１１内に重ねた用紙を前記給紙経路１２に送るために用いられる。前記給紙経路１２は、上壁１２ａ及び下壁１２ｂによって画定される。固定溝１３は、前記上壁に設けられる。給紙方向の上流から下流に順に、用紙ストッパーアーム４０と、前記固定溝１３の中に挟持固定される用紙ガイド部材５０と、前記給紙経路１２の一側に固定され、一部が前記給紙経路１２に設けられる給紙ユニット２０と、前記給紙ユニット２０と前記一側の反対側において対向するように固定される用紙分離ローラ３０とを有する。本明細書において、「上流」及び「下流」という用語は、明確に定義されていない限り、それぞれ給紙時に用紙が入る側及び用紙が出る側とする。
【００１９】
前記用紙ストッパーアーム４０は、前記給紙経路１２に垂直である方向に沿って移動できるように設けられ、用紙の通過を規制するストップ位置と用紙を前記給紙経路１２に通過させる給紙位置との間で移動可能に切り替わる。前記用紙ガイド部材５０は、前記給紙経路１２に移動可能に設けられ、用紙をガイドして前記給紙ユニット２０とスムーズ接触させるために用いられる。
【００２０】
図５Ａ、図５Ｂ、図６及び図８を参照しながら説明する。前記用紙ガイド部材５０は、給紙方向の下流から上流の方向に順に、前記固定溝１３の中に挟持固定される固定部５１と、前記固定部５１に接続して前記給紙経路へ延びる屈曲部５２と、前記屈曲部５２に接続して前記給紙経路に略平行に延び、前記給紙ユニット２０と用紙分離ローラ３０との間に形成される隙間空間２１に設けられる用紙ガイド部５３と、前記用紙ガイド部５３に接続される持ち上げ部５４と、前記持ち上げ部５４の末端に設けられる頂点５５と、を含む。そのうち、前記屈曲部５２において、前記持ち上げ部５４が給紙待ち用紙からの推力を受ける時に弾性変形を生じることで、前記用紙ガイド部５３によって用紙がガイドされて前記給紙ユニットをスムーズに通過する。
【００２１】
図８を参照しながら説明する。この実施例では、前記固定溝１３は、前記給紙経路１２に向かって下流から上流に下方に延びる挟持部１３ａと、前記挟持部１３ａの下流側に設けられ、前記挟持部１３ａの延伸方向に垂直である固定切欠き１３ｂとを含む。前記用紙ガイド部材５０は、１本の弾性変形可能な金属線を曲げ加工して成形され、左右対称の形態となる。そのうち、前記固定部５１は、互いに対向して設置される２つの挟持桿５１ａと、前記挟持桿５１ａの末端に設けられる固定桿５１ｂとを含む。前記挟持桿５１ａが前記挟持部１３ａに挟持され、前記固定桿５１ｂが前記固定切欠き１３ｂに挿入されて固定することにより、前記用紙ガイド部材５０が前記給紙経路１２に固定される。
【００２２】
図６、図９Ａ及び図９Ｂを参照しながら説明する。前記用紙ガイド部材５０は、前記給紙ユニット２０と用紙分離ローラ３０との間に形成される隙間空間２１に上下屈曲可能に設けられる。これにより、前記用紙ガイド部５３と給紙経路１２との間の角度が小さいθ１であるため、用紙をガイドして前記給紙ユニット２０とスムーズに接触させることができる。前記用紙ガイド部５３と前記持ち上げ部５４とが接続される箇所（過渡部において曲率が最大となる点）で交点Ａを持つ。用紙のガイド効果を確保するために、給紙待ち用紙と前記用紙分離ローラ３０との接触点をＥとし、かつ前記交点Ａを前記接線点Ｅの上流に設ける。給紙待ち用紙と前記用紙ガイド部５３との垂直距離Ｄ１は、給紙待ち用紙と前記用紙分離ローラ３０との垂直距離Ｄ２より大きい。
【００２３】
そして、前記持ち上げ部５４は、前記用紙ストッパーアーム４０における給紙方向の下流に位置する。前記用紙分離ローラ３０から前記持ち上げ部５４までの仮想円の半径ＤＳ１は、前記用紙分離ローラ３０の輪径ＤＳより大きい。また、前記持ち上げ部５４と前記給紙経路１２との間に角度θ２がある。前記角度θ２が前記角度θ１より大きいため、給紙待ち用紙が前記用紙ストッパーアーム４０を通って前記持ち上げ部５４と接触した場合、前記持ち上げ部５４に対してより多くの垂直力を生じ、さらに前記用紙ガイド部材５０を前記給紙経路１２から離れる方向へ持ち上げる力を生成する。
【００２４】
最後に、図６及び図７を参照しながら説明する。図に示すように、給紙プロセスにおいて、前記頂点５５の位置は、前記用紙ストッパーアーム４０の位置とほぼ一致する。また、給紙待ち用紙と前記用紙ストッパーアーム４０との接触点Ｃは、前記頂点５５の上流に設けられる。なお、前記頂点５５と給紙待ち用紙との垂直距離は、前記用紙ストッパーアーム４０の底端と給紙待ち用紙との垂直距離より大きい。上記の構成により、給紙プロセスにおいて、給紙待ち用紙と前記用紙分離ローラ３０との早すぎる接触が避けられ、かつ前記用紙ガイド部材５０と前記用紙ストッパーアーム４０との間に生じる隙間により、給紙待ち用紙が順に前記持ち上げ部５４、前記用紙ガイド部５３に接触できないことが避けられる。
【符号の説明】
【００２５】
１０：屈曲式用紙ピックアップ装置
１１：給紙トレイ
１２：給紙経路
１２ａ：上壁
１２ｂ：下壁
１３：固定溝
１３ａ：挟持部
１３ｂ：固定切欠き
２０：給紙ユニット
２１：隙間空間
３０：用紙分離ローラ
３１：輪軸
４０：用紙ストッパーアーム
５０：用紙ガイド部材
５１：固定部
５１ａ：挟持桿
５１ｂ：固定桿
５２：屈曲部
５３：用紙ガイド部
５４：持ち上げ部
５５：頂点
【図１】
0003226792.tif 000003
【図２】
0003226792.tif 000004
【図３】
0003226792.tif 000005
【図４】
0003226792.tif 000006
【図５Ａ】
0003226792.tif 000007
【図５Ｂ】
0003226792.tif 000008
【図６】
0003226792.tif 000009
【図７】
0003226792.tif 000010
【図８】
0003226792.tif 000011
【図９Ａ】
0003226792.tif 000012
【図９Ｂ】
0003226792.tif 000013